(57)【特許請求の範囲】
【請求項１】
正／逆方向に回転可能なモータの回転軸に連結されたスパイラル状の物品保持部と、
物品保持部のモータ端側に当該物品保持部を覆うように設置された巻き込み防止キャップと、
を備え、物品保持部に吊り下げ部材で吊下げられて保持される物品を、モータの回転に応じて当該物品保持部のモータ端方向或いは他端方向に搬送する物品搬送装置であって、
前記巻き込み防止キャップが、モータ端側に向かって前記物品保持部のスパイラル部分の上端より高い位置までせり上がる傾斜を有し、
物品を前記モータ端方向へ搬送する方向にモータを回転し続けた場合に、前記物品保持部に吊り下げられた物品の吊り下げ部材を前記傾斜に沿って押し上げて巻き込みを防止することを特徴とする物品搬送装置。
【請求項２】
正／逆方向に回転可能なモータの回転軸に連結されたスパイラル状の物品保持部を備える物品搬送装置であって、
物品保持部のモータ端側に向かって前記物品保持部のスパイラル部分の上端より高い位置までせり上がる傾斜を有する巻き込み防止ガイドを物品保持部のモータ端側に設置し、物品をモータ端方向へ搬送する方向にモータを回転し続けた場合に、前記物品保持部に吊り下げられた物品の吊り下げ部材を前記傾斜に沿って押し上げて巻き込みを防止することを特徴とする物品搬送装置。
【請求項３】
請求項１又は２に記載の物品搬送装置を備えるゲーム装置。
【発明の詳細な説明】
【０００１】
【発明の属する技術分野】
本発明は、物品を搬送する物品搬送装置と、物品搬送装置を有するゲーム装置に関する。
【０００２】
【従来の技術】
従来から、ゲームに勝利すると景品を獲得できる景品獲得ゲームが知られている。この景品獲得ゲームにおいて、景品は、例えば、ゲーム装置内に設置されたスパイラル状の物品搬送装置に吊り下げられて保持される。そして、景品をゲーム装置から払い出す際に、物品搬送装置を回転させることにより物品搬送装置から落下させて搬出する。
【０００３】
【発明が解決しようとする課題】
ところで、上述した物品搬送装置が、例えば、高い場所に設置されて物品搬送装置の奥側まで手が届かない場合や、物品搬送装置と筐体内壁との間が狭い場合等においては、物品搬送装置への景品の補充の効率が悪いという問題があった。本発明は、物品搬送装置への景品の搬入を効率良く、安全に行うことを目的とする。
【０００４】
【課題を解決するための手段】
以上の課題を解決するため、第１の発明の物品搬送装置（例えば、図３に示す物品搬送装置３０）は、正／逆方向に回転可能なモータ（例えば、図３に示すモータ３２）の回転軸に連結されたスパイラル状の物品保持部（例えば、図３に示すコイル３４）と、物品保持部のモータ端側に当該物品保持部を覆うように設置された巻き込み防止キャップ（例えば、図３に示す巻き込み防止キャップ３８）と、を備え、物品保持部に吊下げられて保持される物品を、モータの回転に応じて当該物品保持部のモータ端方向或いは他端方向に搬送するものである。
【０００５】
この第１の発明によれば、物品を搬出する方向と逆方向にモータを回転させることにより、物品保持部の他端側に吊下げられた物品を物品搬送装置の奥側に搬送して補充することができる。従って、例えば、高い位置に物品搬送装置が設置される等、物品搬送装置の奥側に手が届かない場合においても、物品を簡単にモータ端側に搬送することができる。また、モータの回転に応じて物品保持部上を移動してモータ端側に搬送される物品は、モータ端側に設置された巻き込み防止キャップの位置で停止するので、モータ端側に物品を搬送する場合において、物品搬送装置への物品の巻き込みを防止することができる。従って、物品を破損することなく安全に搬送することができる。
【０００６】
また、第２の発明の物品搬送装置は、正／逆方向に回転可能なモータ（例えば、図３に示すモータ３２）の回転軸に連結されたスパイラル状の物品保持部（例えば、図３に示すコイル３４）を備える物品搬送装置（例えば、図３に示す物品搬送装置３０）であって、物品保持部のモータ端側に向かってせり上がる傾斜を有する巻き込み防止ガイド（例えば、図８に示す巻き込み防止ガイド３７）を、少なくとも物品保持部のモータ端側一側面に設置するものである。
【０００７】
また、第３の発明は、第１の発明の物品搬送装置において、前記巻き込み防止キャップは、モータ端側に向かってせり上がる傾斜を有するものである。
【０００８】
第２又は第３の発明によれば、モータ端側まで搬送された物品は、巻き込み防止キャップ或いは巻き込み防止ガイドの有する傾斜に沿って物品保持部の上方に押し上げられるため、物品保持部或いはモータ等への物品の巻き込みを防止することができる。これによれば、モータ端側へ物品を搬送する場合における物品やモータ等の破損を防止することができる。
【０００９】
また、第４の発明は、第１〜第３の何れかの発明の物品搬送装置を備えたゲーム装置である。
【００１０】
【発明の実施の形態】
以下、図を参照して、本発明の一実施形態について、物品搬送装置を備えた景品獲得ゲーム装置を例にして説明するが、本発明が適用できるものは、他の形式のゲーム装置等これに限定されるものではない。
【００１１】
図１に、景品獲得ゲーム装置１の正面図を示す。同図に示す景品獲得ゲーム装置１において、プレーヤは、硬貨投入口１０から硬貨を投入してゲームを開始し、ゲームに勝利すると選択した景品を獲得できる景品獲得ゲームを楽しむ。本景品獲得ゲーム装置１において用意される景品は３種類であり、これらの景品は、景品獲得ゲーム装置１の本体上部の景品格納スペース２０に設置され、当該景品の搬出及び搬入を行う物品搬送装置３０−１、３０−２、３０−３にそれぞれ保持される。また、景品獲得ゲーム装置１の前面にはこれら３種類の景品を選択するためのボタン４０−１、４０−２、４０−３を備える。そして、ボタン４０−１と物品搬送装置３０−１、ボタン４０−２と物品搬送装置３０−２、ボタン４０−３と物品搬送装置３０−３がそれぞれ対応付けられており、ボタン４０が押下されると、該当する景品を保持する物品搬送装置３０が回転するようになっている。また、景品獲得ゲーム装置１は、景品搬入用の前扉５０と、当該前扉５０の開閉を検知するドアセンサ６０と、景品を取り出す景品取出し口７０を備える。
【００１２】
図２に、この景品獲得ゲーム装置１の縦断面図を示す。同図に示すように、物品搬送装置３０は、景品獲得ゲーム装置１の背面側から前面側に向かって設置される。
【００１３】
図３に、この物品搬送装置３０の側面図を示す。同図において、物品搬送装置３０は、正／逆方向に回転可能なモータ３２と、モータ３２の回転軸に連結されモータ３２の回転駆動に応じて回転するスパイラル状のコイル３４と、コイル３４を支える補強ステー３６と、コイル３４のモータ端側において当該コイル３４を覆う巻き込み防止キャップ３８とを備える。ここで、物品搬送装置３０の回転の正方向を、物品搬送装置３０から景品が搬出される際の景品の搬送方向（以下、搬出方向という。）とし、物品搬送装置３０の回転の逆方向を、物品搬送装置３０に景品が搬入される際の景品の搬送方向（以下、搬入方向という。）とする。そして、搬出方向にモータ３２が回転すると、コイル３４の凹部に吊り下げられた景品は、コイル３４の回転に伴い凹部が先端側（景品が搬出される側）に移動することで物品搬送装置３０から搬出され、景品取出し口７０に落下するようになっている。また、搬入方向にモータ３２が回転すると、コイル３４の凹部に吊り下げられた景品は、コイル３４の回転に伴い凹部がモータ端側に移動することで物品搬送装置３０の奥側に搬送される。これにより、景品を順次物品搬送装置３０に補充できるようになっている。
【００１４】
図４に物品搬送装置３０に吊り下げられる景品の一例を示す。同図に示すように、景品８０は、物品搬送装置３０に吊り下げるための紐等の吊下げ部材８２を備え、当該吊下げ部材８２が物品搬送装置３０に吊り下げられることにより保持される。
【００１５】
次に、モータ３２の駆動制御について、図５を参照して説明する。同図に示すように、景品獲得ゲーム装置１において、制御部９０は、ドアセンサ６０と、ボタン４０から入力される信号に従って、モータ３２の駆動を制御する。
【００１６】
ドアセンサ６０は、上述したように、前扉５０の開閉状態を検知するセンサであり、前扉５０の開閉状態の検知が可能な位置に設置される。ドアセンサ６０は、前扉５０が開いている間、開検知信号を制御部９０に出力する。
【００１７】
ボタン４０は、上述したように、景品を選択するために備えられるものであり、該当する景品の吊り下げられた物品搬送装置３０に対応づけられている。そして、プレーヤがゲームクリアした場合、或いは景品補充時にボタン４０が押下されると、当該ボタン４０の押下信号を制御部９０に出力する。
【００１８】
制御部９０は、ボタン４０から入力される押下信号が、ゲームの進行中にゲームクリアしたことによる景品の搬出を指示するためのものか、或いは景品補充時にボタン４０を押下したことによる景品の搬入を指示するためのものかを区別し、モータ３２の回転方向を決定する。
【００１９】
具体的には、制御部９０は、ゲームクリアと判断し、且つ、開検知信号の入力が無いときにボタン４０の押下信号が入力された場合、押下されたボタン４０に対応する物品搬送装置３０のモータ３２の駆動制御を行い、当該物品搬送装置３０を搬出方向に回転させる。また、この際、制御部９０は、景品の搬出を監視し、最先端に位置する景品が搬出され、例えば景品搬出経路に設置されたセンサから景品通過信号が入力された場合に停止信号を当該モータ３２に出力して、モータ３２を停止させる。
【００２０】
また、制御部９０は、開検知信号の入力中にボタン４０の押下信号が入力された場合、押下されたボタン４０に対応する物品搬送装置３０のモータ３２を搬入方向に回転させる。そして、ボタン４０の押下信号がＯＦＦになった際に停止信号を当該モータ３２に出力する。
【００２１】
景品の補充の具体的な操作方法は、例えば、景品の吊下げ部材を物品搬送装置３０のコイル３４の凹部に吊り下げて、当該物品搬送装置３０に対応するボタン４０を押下する。前扉を開けた状態でボタン４０を押下している間は物品搬送装置３０が搬入方向に回転するので、景品は物品搬送装置３０上を移動して奥側に搬入される。吊り下げた景品を任意に搬入した後、次の景品を先端部の凹部に吊り下げる。以上の操作を繰り返すことにより、複数個の景品を物品搬送装置３０に補充していく。
【００２２】
図６に巻き込み防止キャップ３８部分の図を示す。同図に示すように、巻き込み防止キャップ３８の傾斜部分３８ａがコイル３４よりも高い位置まで形成されている。このため、搬入時において、景品が巻き込み防止キャップ３８に到達した際、当該景品の吊下げ部材が巻き込み防止キャップ３８の傾斜に沿って押し上げられる。そして、コイル３４の高さよりも景品の吊下げ部材がコイル３４より上方に押し上げられると、吊り下げ部材がコイル３４の山を越えるので、コイル３４は景品を搬送できなくなる。
【００２３】
図７に、物品搬送装置３０の水平断面図を示す。同図に示すように、コイル３４は、モータ３２との接続点部分でピッチが狭くなっている。即ち、上述した巻き込み防止キャップ３８により、モータ端側において、特に吊下げ部材等、景品が、コイル３４に挟まったり、或いは、さらに奥側にあるモータ３２に巻き込まれる危険を回避することができる。
【００２４】
以上説明したように、景品の搬入方向にモータ３２を回転させることによれば、コイル３４の先端側において吊下げ部材によって吊り下げられた景品を、コイル３４のモータ端側に順次搬入することができる。
【００２５】
さらに、巻き込み防止キャップ３８を備えることにより、コイル３４或いはモータ３２に、景品が巻き込まれることによる、景品やモータ３２の破損を防ぐことができる。
【００２６】
尚、以上説明した実施の形態においては、コイル３４のモータ端側にコイル３４を覆う巻き込み防止キャップ３８を設置した場合を例に説明したが、例えば、図８に示すように、コイル３４のモータ端側において、コイル３４の両側面に巻き込み防止ガイド３７、３７を設置することとしてもよい。そして、この巻き込み防止ガイド３７，３７により搬入時における景品のコイル３４或いはモータ３２への巻き込みを防止する。また、景品の巻き込み防止用の部材として、この巻き込み防止ガイド３７を、コイル３４のどちらか一方の側面に設置することとして物品搬送装置３０を実現することとしてもよい。
【００２７】
【発明の効果】
本発明によれば、物品を搬出する方向と逆方向にモータを回転させることにより、物品保持部の他端側に吊下げられた物品を物品搬送装置の奥側に搬送して補充することができる。従って、例えば、高い位置に物品搬送装置３０が取り付けられる場合等、物品搬送装置３０の奥側に手が届かない際に、景品を物品搬送装置３０に簡単に補充することができる。また、モータの回転に応じて物品保持部上を移動してモータ端側に搬送される物品は、モータ端側に設置された巻き込み防止キャップの位置で停止するので、モータ端側に物品を搬送する場合において、物品搬送装置への物品の巻き込みを防止することができる。従って、物品を破損することなく安全に搬送することができる。
【００２８】
さらに、巻き込み防止キャップにおいてモータ端側に向かってせり上がる傾斜を備えることにより、モータ端側まで搬送された物品は、巻き込みキャップの傾斜に沿って巻き込み防止キャップ上に押し上げられるため、景品保持部やモータ等への物品の巻き込みを防止することができる。これによれば、モータ端側へ物品を搬送する場合における物品やモータ等の破損を防止することができる。
【図面の簡単な説明】
【図１】本発明を適用した一実施の形態における景品獲得ゲーム装置の正面図の一例を示す図である。
【図２】図１に示す景品獲得ゲーム装置の縦断面図を示す図である。
【図３】図１に示す物品搬送装置の側面図を示す図である。
【図４】景品の一例を示す図である。
【図５】図１に示す景品獲得ゲーム装置の機能ブロックの一例を示す図である。
【図６】図３に示す物品搬送装置の巻き込み防止キャップ部を拡大した図である。
【図７】図３に示す物品搬送装置の断面図である。
【図８】物品搬送装置の備える巻き込み防止ガイドの一例を示す図である。
【符号の説明】
１                    景品獲得ゲーム装置
１０                硬貨投入口
２０                景品格納スペース
３０−１〜３０−３  物品搬送装置
３２              モータ
３４              コイル
３６              補強ステ−
３８              巻きこみ防止キャップ
４０−１〜４０−３  ボタン
５０                前扉
６０                ドアセンサ
７０                景品取出し口
【図１】
0003822811.tif 000002
【図２】
0003822811.tif 000003
【図３】
0003822811.tif 000004
【図４】
0003822811.tif 000005
【図５】
0003822811.tif 000006
【図６】
0003822811.tif 000007
【図７】
0003822811.tif 000008
【図８】
0003822811.tif 000009